(57)【要約】【課題】スライドレールユニットの提供。【解決手段】ブラケット１０、第一、二レール部品１００，２００、第一、二スライド補助部品３００，４００、ボールベアリング５００を備える。該ブラケットは第一水平部１２、第一垂直部１６を備え、該第一レール部品は該ブラケットに嵌りスライドし、第一、二水平部１１０，１３０、第一、二垂直部１２０，１４０を備え、該第二レール部品は該第一レール部品に嵌りスライドし、第一、二垂直部２１０，２３０、第一水平部２２０を備え、該第一スライド補助部品は該ブラケットと該第一レール部品との間に設置し、該第二スライド補助部品は該第一、二レール部品間に設置し、該ボールベアリングは第一ボールベアリング５１０を備え、該第一、二レール部品の夫々の該第一垂直部間で自由なローリング接触を行うと共に、第二ボールベアリング５２０を備え、該第一、二レール部品の夫々の第二垂直部間に設置する。【選択図】図１
0003150893.tif 000002
【実用新案登録請求の範囲】
【請求項１】
ブラケット、第一レール部品、第二レール部品、第一スライド補助部品、第二スライド補助部品、複数のボールベアリングを備える、スライドレールユニットであって、
該ブラケットは、第一水平部、第一垂直部、第二水平部を備え、該第一水平部は、第一端を備え、該第一垂直部は、相互に対応する第一端と第二端と、を備え、該ブラケットの第一水平部の第一端から延伸し、該第二水平部は、相互に対応する第一端と第二端と、を備え、該ブラケットの第一垂直部の第一端から延伸し、
該第一レール部品は、スライド可能状態でブラケットに設置し、該第一レール部品は第一水平部、第一垂直部、第二水平部、第二垂直部を備え、該第一水平部は、第一端を備え、該第一垂直部は、相互に対応する第一端と第二端と、を備え、該第一レール部品の第一水平部の第一端から延伸し、該第二水平部は、第一端と第二端と、を備え、第一レール部品の第一垂直部の第一端から延伸し、該第二垂直部は、相互に対応する第一端と第二端と、を備え、該第一レール部品の第二水平部の第一端から延伸し、
該第二レール部品は、スライド可能状態で第一レール部品に設置し、該第二レール部品は、第一垂直部、第一水平部、第二垂直部を備え、該第一垂直部は、相互に対応する第一端と第二端と、を備え、該第一水平部は、相互に対応する第一端と第二端と、を備え、該第二レール部品の第一垂直部の第一端から延伸し、該第二垂直部は、相互に対応する第一端と第二端と、を備え、該第二レール部品の第一水平部の第一端から延伸し、
該第一スライド補助部品は、ブラケットと第一レール部品との間に設置し、該第一スライド補助部品は、第一台体、少なくとも１個の第一ローラーベアリング、少なくとも１個の第二ローラーベアリング、少なくとも１個の第三ローラーベアリング、少なくとも１個の第四ローラーベアリングを備え、該少なくとも１個の第一ローラーベアリングは、ブラケットの第一垂直部と第一レール部品の第二垂直部と、の間に設置し、ローリング接触を提供し、該少なくとも１個の第二ローラーベアリングは、ブラケットの第一垂直部と第一レール部品の第一垂直部との、間に設置し、ローリング接触を提供し、該少なくとも１個の第三ローラーベアリングは、ブラケットの第一水平部と第一レール部品の第二水平部と、の間に設置し、ローリング接触を提供し、該少なくとも１個の第四ローラーベアリングは、ブラケットの第一水平部と第一レール部品の第一水平部と、の間に設置し、ローリング接触を提供し、
該第二スライド補助部品は、該第一レール部品と該第二レール部品と、の間に設置し、該第二スライド補助部品は、第一台体、少なくとも１個の第一ローラーベアリングを備え、該少なくとも１個の第一ローラーベアリングは、該第一レール部品の第二水平部と該第二レール部品の第一水平部と、の間に設置し、ローリング接触を提供し、
該複数のボールベアリングは、少なくとも１個の第一ボールベアリング、少なくとも１個の第二ボールベアリングを備え、該少なくとも１個の第一ボールベアリングは、該第一レール部品の第一垂直部と該第二レール部品の第一垂直部と、の間に設置し、自由ローリング方向の接触を提供し、該少なくとも１個の第二ボールベアリングは、該第一レール部品の第二垂直部と該第二レール部品の第二垂直部と、の間に設置し、自由ローリング方向の接触を提供することを特徴とする、スライドレールユニット。
【請求項２】
前記第一レール部品の第一垂直部と該第二レール部品の第一垂直部と、の間には、該第一ボールベアリングに相対して第一ベアリング溝道を設置し、これにより該第一ボールベアリングはローリング接触が可能となることを特徴とする、請求項１記載のスライドレールユニット。
【請求項３】
前記第一レール部品の第二垂直部と該第二レール部品の第二垂直部と、の間には、第二ボールベアリングに相対して第二ベアリング溝道を設置し、これにより該第二ボールベアリングはローリング接触が可能となることを特徴とする、請求項１記載のスライドレールユニット。
【請求項４】
前記第二スライド補助部品の第一台体は、該複数のボールベアリングに相対し、複数の保持部品を設置し、これにより複数のボールベアリングを予定の位置に保持することを特徴とする、請求項１記載のスライドレールユニット。
【請求項５】
前記第二スライド補助部品の第一台体には、緩衝部を設置し、これによりスライドレールユニット操作時に発生する振動或いは衝突を緩衝可能であることを特徴とする、請求項１記載のスライドレールユニット。
【請求項６】
前記複数の保持部品は、第一保持部品、第二保持部品を備え、該複数のボールベアリングの少なくとも１個のボールベアリングは、第一保持部品と第二保持部品と、の間に設置し、該第一保持部品と該第二保持部品の相互に対応する側辺間の水平距離は、第一幅で、しかも該第一保持部品と該第二保持部品と、の間の該ボールベアリングに相対する側辺には、それぞれベアリング槽を設置し、該第一保持部品のベアリング槽と該第二保持部品のベアリング槽と、の間の水平距離は第二幅で、該ボールベアリングの直径は、第一幅より大きく、しかも第二幅より小さいことを特徴とする、請求項４記載のスライドレールユニット。
【請求項７】
前記複数の保持部品は、第一保持部品、第二保持部品を備え、該複数のボールベアリングの少なくとも１個のボールベアリングは、該第一保持部品と該第二保持部品と、の間に設置し、該第一保持部品と該第二保持部品の相互に対応する側辺間の水平距離は、第一幅で、しかも該第一保持部品と該第二保持部品と、の間の該ボールベアリングに相対する側辺には、それぞれベアリング槽を設置し、該第一保持部品のベアリング槽と該第二保持部品側辺間の水平距離は第三幅で、ボールベアリングの直径は第一幅より大きく、しかも第三幅より小さいことを特徴とする、請求項４記載のスライドレールユニット。
【請求項８】
前記緩衝部は、封鎖状のリング型であることを特徴とする、請求項５記載のスライドレールユニット。
【請求項９】
前記第一レール部品の第二垂直部は、第一湾折部を備え、該第一レール部品の第二垂直部の第二端から延伸し、これにより該第一レール部品の第二垂直部と該ブラケットの第一垂直部と、の間隔距離は変化し、大きさが相対する第一ローラーベアリングをその中に設置することを特徴とする、請求項１記載のスライドレールユニット。
【請求項１０】
前記第一レール部品の第二垂直部は、第二湾折部を備え、該第一レール部品の第二垂直部の第一端から延伸することを特徴とする、請求項９記載のスライドレールユニット。
【請求項１１】
前記第一ベアリング溝道の形成により、該第一レール部品の第一垂直部の第一端において、該第一ボールベアリングに対応して、第一接触面を設置し、該第二レール部品の第一垂直部の第二端において、該第一ボールベアリングに対応して、第一ホールド部を設置し、該第一ホールド部は、該第二レール部品の第一垂直部の第二端から延伸することを特徴とする、請求項２記載のスライドレールユニット。
【請求項１２】
前記第二ベアリング溝道の形成により、該第一レール部品の第二垂直部の第二端において、該第二ボールベアリングに対応して、第二接触面を設置し、該第二レール部品の第二垂直部の第一端において、該第二ボールベアリングに対応して、第二ホールド部を設置し、該第二ホールド部は、該第二レール部品の第二垂直部の第一端から延伸することを特徴とする、請求項３記載のスライドレールユニット。
【請求項１３】
前記第一ホールド部は、第一サポートセグメントを備え、第二サポートセグメントは、該第一サポートセグメントから延伸して湾折し、該第二サポートセグメントは、ホールド面を備え、これにより該第一ボールベアリングを支えることを特徴とする、請求項１１記載のスライドレールユニット。
【請求項１４】
前記第二ホールド部は、第一サポートセグメントを備え、第二サポートセグメントは、該第一サポートセグメントから延伸して湾折し、該第二サポートセグメントは、ホールド面を備え、これにより該第二ボールベアリングを支えることを特徴とする、請求項１２記載のスライドレールユニット。
【請求項１５】
前記第一ホールド部は、第一サポートセグメントを備え、第二サポートセグメントは、該第一サポートセグメントから延伸して湾折し、該第一サポートセグメントは、ホールド面を備え、これにより該第一ボールベアリングを支えることを特徴とする、請求項１１記載のスライドレールユニット。
【請求項１６】
前記第二ホールド部は、第一サポートセグメントを備え、第二サポートセグメントは、該第一サポートセグメントから延伸して湾折し、該第一サポートセグメントは、ホールド面を備え、これにより該第二ボールベアリングを支えることを特徴とする、請求項１２記載のスライドレールユニット。
【請求項１７】
前記第一ホールド部は、第一サポートセグメントを備え、該第一サポートセグメントは、ホールド面を備え、これにより該第一ボールベアリングを支えることを特徴とする、請求項１１記載のスライドレールユニット。
【請求項１８】
前記第二ホールド部は、第一サポートセグメントを備え、該第一サポートセグメントは、ホールド面を備え、これにより該第二ボールベアリングを支えることを特徴とする、請求項１２記載のスライドレールユニット。
【考案の詳細な説明】
【技術分野】
【０００１】
本考案はスライドレールユニットに係り、特にシークレットスライドレールユニットで、たんすのひきだし類に応用可能なスライドレールユニットに関する。
【背景技術】
【０００２】
スライドレールユニットは、Ｋｕｎｇ氏が考案した特許文献１の「Ｄｒａｗｅｒ  ｓｌｉｄｉｎｇ  ｓｔｒｕｃｔｕｒｅ」及びＳｉｍｏｎ氏が考案した特許文献２の「Ｕｎｄｅｒｍｏｕｎｔ  ｄｒａｗｅｒ  ｓｌｉｄｅ」などがある。
【０００３】
特許文献１は、横掛けで底に設置するひきだしスライドレールを提供する。それは、外スライドレール２０と内スライドレール３０と、の間に、垂直ローラー５１を設置する。垂直ローラー５１は、外スライドレール２０と内スライドレール３０と、に相対し、左右方向のローリングサポートを提供する。実際の応用時には、外スライドレールは通常はひきだしの底部に設置するが、ひきだしと外スライドレールと、が引き出されオーバーハング状態となると、上下方向に重力が加わる他に、外スライドレール２０と内スライドレール３０と、の結合部分には、外スライドレール２０後端が上方へと反り、内スライドレール３０から離れる作用力が生じる。
【０００４】
しかし、垂直ローラー５１は、上方へと反って離れようとする作用力に抵抗する機能を直接提供することはできないため、外スライドレール２０と内スライドレール３０と、の間には、スライド機能を備えるサポート構造を増設する。
【０００５】
サポート構造について、案中では明確に掲示されてはいないが、スライドサポート構造は全体的には明らかに複雑な構造である。
【０００６】
特許文献２は、横掛けで底に設置するひきだしスライドレールを提供する。そのキャビネットレール部品（ｃａｂｉｎｅｔ ｒａｉｌ）１１のフランジ（ｆｌａｎｇｅ）７３は、中レール１３内のベアリング（ｂｅａｒｉｎｇ）８３ａ、８３ｂ間に相対し、水平移動が可能な状態である。これにより、ひきだしを引き出す時、提供される自由空間が過大であるため、揺れと騒音を発生し易い。
【０００７】
さらに、前記案のキャビネットレール部品は、オフセットフランジ（ｏｆｆｓｅｔ  ｆｌａｎｇｅ）７５を水平に延伸するため、全体的な耐荷重についての剛性は十分でない。
【０００８】
上記のように、横掛けで底に設置するひきだしスライドレールにおいて、現行の技術では、スライドの安定性、騒音低減、構成部材の単純化、という問題は未解決である。本考案は、従来のスライドレールユニットの上記した欠点に鑑みてなされたものである。
【先行技術文献】
【特許文献】
【０００９】
【特許文献１】アメリカ合衆国特許第６，６８２，１６０号公報
【特許文献２】アメリカ合衆国特許第６，８５４，８１７号公報
【考案の概要】
【考案が解決しようとする課題】
【００１０】
本考案が解決しようとする課題は、たんすのひきだし類に応用可能で、堅固なサポート力を備えるスライドレールユニットを提供することである。
【課題を解決するための手段】
【００１１】
上記課題を解決するため、本考案は下記のスライドレールユニットを提供する。スライドレールユニットは、ブラケット、第一レール部品、第二レール部品、第一スライド補助部品、第二スライド補助部品、複数のボールベアリングを備え、ブラケットは第一水平部、第一垂直部、第二水平部を備え、第一水平部は、第一端を備え、第一垂直部は、相互に対応する第一端と第二端と、を備え、ブラケットの第一水平部の第一端から延伸し、第二水平部は、相互に対応する第一端と第二端と、を備え、ブラケットの第一垂直部の第一端から延伸し、第一レール部品は、スライド可能状態でブラケットに設置し、第一レール部品は、水平部、第一垂直部、第二水平部、第二垂直部を備え、水平部は、第一端を備え、第一垂直部は、相互に対応する第一端と第二端と、を備え、第一レール部品の第一水平部の第一端から延伸し、第二水平部は、第一端と第二端と、を備え、第一レール部品の第一垂直部の第一端から延伸し、第二垂直部は、相互に対応する第一端と第二端と、を備え、第一レール部品の第二水平部の第一端から延伸し、第二レール部品は、スライド可能状態で第一レール部品に設置し、第一垂直部、第一水平部、第二垂直部を備え、第一垂直部は、相互に対応する第一端と第二端と、を備え、第一水平部は、相互に対応する第一端と第二端と、を備え、第二レール部品の第一垂直部の第一端から延伸し、第二垂直部は、相互に対応する第一端と第二端と、を備え、第二レール部品の第一水平部の第一端から延伸し、第一スライド補助部品は、ブラケットと第一レール部品との間に設置し、第一スライド補助部品は、第一台体、少なくとも１個の第一ローラーベアリング、少なくとも１個の第二ローラーベアリング、少なくとも１個の第三ローラーベアリング、少なくとも１個の第四ローラーベアリングを備え、少なくとも１個の第一ローラーベアリングは、ブラケットの第一垂直部と第一レール部品の第二垂直部と、の間に設置し、ローリング接触を提供し、少なくとも１個の第二ローラーベアリングは、ブラケットの第一垂直部と第一レール部品の第一垂直部との、間に設置し、ローリング接触を提供し、少なくとも１個の第三ローラーベアリングは、ブラケットの第一水平部と第一レール部品の第二水平部と、の間に設置し、ローリング接触を提供し、少なくとも１個の第四ローラーベアリングは、ブラケットの第一水平部と第一レール部品の第一水平部と、の間に設置し、ローリング接触を提供し、第二スライド補助部品は、第一レール部品と第二レール部品と、の間に設置し、第二スライド補助部品は、第一台体、少なくとも１個の第一ローラーベアリングを備え、少なくとも１個の第一ローラーベアリングは、第一レール部品の第二水平部と第二レール部品の第一水平部と、の間に設置し、ローリング接触を提供し、複数のボールベアリングは、少なくとも１個の第一ボールベアリング、少なくとも１個の第二ボールベアリングを備え、少なくとも１個の第一ボールベアリングは、第一レール部品の第一垂直部と第二レール部品の第一垂直部と、の間に設置し、自由ローリング方向の接触を提供し、少なくとも１個の第二ボールベアリングは、第一レール部品の第二垂直部と第二レール部品の第二垂直部と、の間に設置し、自由ローリング方向の接触を提供し、第一レール部品の第一垂直部と第二レール部品の第一垂直部と、の間には、第一ボールベアリングに相対して第一ベアリング溝道を設置し、これにより第一ボールベアリングはローリング接触が可能となり、第一レール部品の第二垂直部と第二レール部品の第二垂直部と、の間には、第二ボールベアリングに相対して第二ベアリング溝道を設置し、これにより第二ボールベアリングはローリング接触が可能となり、第二スライド補助部品の第一台体は、複数のボールベアリングに相対し、複数の保持部品を設置し、これにより複数のボールベアリングを予定の位置に保持する。
【考案の効果】
【００１２】
本考案は、たんすのひきだし類に応用可能で、堅固なサポート力を備えるという効果を奏する。
【図面の簡単な説明】
【００１３】
【図１】本考案の一実施例によるスライドレールユニットを示す組合せ断面図である。
【図２】本考案の一実施例によるスライドレールユニットにおいて、第一スライド補助部品と第二スライド補助部品と、を含まない組合せ断面図である。
【図３】本考案の一実施例によるスライドレールユニットを示す分解図である。
【図４】本考案の一実施例によるスライドレールユニットにおいて、ボールベアリングと保持部品と、の間の組合せを示す模式図である。
【図５】本考案の一実施例によるスライドレールユニットにおいて、第二レール部品の第一種形式を示す模式図である。
【図６】本考案の一実施例によるスライドレールユニットにおいて、第二レール部品の第二種形式を示す模式図である。
【図７】本考案の一実施例によるスライドレールユニットにおいて、第二レール部品の第三種形式を示す模式図である。
【図８】本考案の一実施例によるスライドレールユニットにおいて、第二レール部品の第四種形式を示す模式図である。
【図９】本考案の一実施例によるスライドレールユニットにおいて、第二レール部品の第五種形式を示す模式図である。
【図１０】本考案の一実施例によるスライドレールユニットにおいて、第一レール部品の第二種形式を示す模式図である。
【考案を実施するための形態】
【００１４】
以下に図面を参照しながら本考案を実施するための最良の形態について詳細に説明する。
【００１５】
本考案の一実施例によるスライドレールユニットを示す組合せ断面図である図１に示すように、ブラケット１０は、第一水平部１２、第一垂直部１６、第二水平部２２、第二垂直部２８、第一スライド補助部品３００、第二スライド補助部品４００、複数のボールベアリング５００を備える。
【００１６】
第一水平部１２は、第一端１４を備える。第一垂直部１６は、相互に対応する第一端１８と第二端２０と、を備え、ブラケット１０の第一水平部１２の第一端１４から延伸する。第二水平部２２は、相互に対応する第一端２４と第二端２６と、を備え、ブラケット１０の第一垂直部１６の第一端１８から延伸する。第二垂直部２８は、ブラケット１０の第二水平部２２の第一端２４から延伸する。
【００１７】
第一レール部品１００は、ブラケット１０にスライド可能状態で設置し、第一レール部品１０は、第一水平部１１０、第一垂直部１２０、第二水平部１３０、第二垂直部１４０を備える。
【００１８】
第一水平部１１０は、第一端１１２を備える。第一垂直部１２０は、相互に対応する第一端１２２と第二端１２４と、を備え、第一レール部品１００の第一水平部１１０の第一端１１２から延伸する。第二水平部１３０は、相互に対応する第一端１３２と第二端１３４と、を備え、第一レール部品１００の第一垂直部１２０の第一端１２２から延伸する。第二垂直部１４０は、相互に対応する第一端１４２と第二端１４４と、を備え、第一レール部品１００の第二水平部１３０の第一端１３２から延伸する。
【００１９】
第二レール部品２００は、第一レール部品１００にスライド可能状態で設置し、第一垂直部２１０、第一水平部２２０、第二垂直部２３０を備える。
【００２０】
第一垂直部２１０は、相互に対応する第一端２１２と第二端２１４と、を備える。第一水平部２２０は、相互に対応する第一端２２２と第二端２２４と、を備え、第二レール部品２００の第一垂直部２１０の第一端２１２から延伸する。第二垂直部２３０は、相互に対応する第一端２３２と第二端２３４と、を備え、第二レール部品２００の第一水平部２２０の第一端２２２から延伸する。
【００２１】
第一スライド補助部品３００は、ブラケット１０と第一レール部品１００と、の間に設置し、第一スライド補助部品３００は、第一台体３０２を備える。
第一スライド補助部品３００は、さらに少なくとも１個の第一ローラーベアリング３１０、少なくとも１個の第二ローラーベアリング３２０、少なくとも１個の第三ローラーベアリング３３０、少なくとも１個の第四ローラーベアリング３４０を備える。
【００２２】
少なくとも１個の第一ローラーベアリング３１０は、ブラケット１０の第一垂直部１６と第一レール部品１００の第二垂直部１４０と、の間に設置し、第一ローリング方向の接触を提供する。少なくとも１個の第二ローラーベアリング３２０は、ブラケット１０の第一垂直部１６と第一レール部品１００の第一垂直部１２０との、間に設置し、第一ローリング方向に相同な接触を提供する。少なくとも１個の第三ローラーベアリング３３０は、ブラケット１０の第一水平部１２と第一レール部品１００の第二水平部１３０と、の間に設置し、第二ローリング方向の接触を提供する。少なくとも１個の第四ローラーベアリング３４０は、ブラケット１０の第一水平部１２と第一レール部品１００の第一水平部１１０と、の間に設置し、第二ローリング方向に相同な接触を提供する。
【００２３】
第二スライド補助部品４００は、第一レール部品１００と第二レール部品２００と、の間に設置する。第二スライド補助部品４００は、第一台体４１０、少なくとも１個の第一ローラーベアリング４２０を備える。少なくとも１個の第一ローラーベアリング４２０は、第一レール部品１００の第二水平部１３０と第二レール部品２００の第一水平部２２０と、の間に設置し、第二ローリング方向に相同な接触を提供する。
【００２４】
複数のボールベアリング５００は、少なくとも１個の第一ボールベアリング５１０、少なくとも１個の第二ボールベアリング５２０を備える。少なくとも１個の第一ボールベアリング５１０は、第一レール部品１００の第一垂直部１２０と第二レール部品２００の第一垂直部２１０と、の間に設置し、自由ローリング方向の接触を提供する。少なくとも１個の第二ボールベアリング５２０は、第一レール部品１００の第二垂直部１４０と第二レール部品２００の第二垂直部２３０と、の間に設置し、自由ローリング方向の接触を提供する。
【００２５】
続いて、本考案の一実施例によるスライドレールユニットにおいて、第一スライド補助部品３００と第二スライド補助部品４００と、を含まない組合せ断面図である図２に合わせて示すように、本実施例の第一レール部品１００の第一垂直部１２０と第二レール部品２００の第一垂直部２１０は、第一ボールベアリング５１０を間に挟み相対し、第一ベアリング溝道１２６を設置することが望ましく、第一ボールベアリング５１０に相対溝道を提供し、これにより最適なローリング接触とサポートを提供することができる。
【００２６】
本実施例において、溝道を形成することで、第一レール部品１００の第一垂直部１２０の第一端１２２において、第一ボールベアリング５１０に対応して、第一接触面１２８を設置し、第二レール部品２００の第一垂直部２１０の第二端２１４において、第一ボールベアリング５１０に対応して、第一ホールド部２１６を設置する。
【００２７】
第一ホールド部２１６は、第二レール部品２００の第一垂直部２１０の第二端２１４から延伸する。しかも、第一ホールド部２１６は、第一サポートセグメント２１７を備え、第二サポートセグメント２１８は、第一サポートセグメント２１７から延伸して湾折する。第二サポートセグメント２１８は、ホールド面２１９を備え、これにより第一ボールベアリング５１０を支える。
【００２８】
上記と同様に、本実施例の第一レール部品１００の第二垂直部１４０と第二レール部品２００の第二垂直部２３０と、は、第二ボールベアリング５２０を間にして相対し、第二ベアリング溝道１４６を設置することが望ましく、第一ボールベアリング５２０に相対溝道を提供し、これにより最適なローリング接触とサポートを提供することができる。
【００２９】
本実施例において、溝道を形成することで、第一レール部品１００の第二垂直部１４０の第二端１４４において、第二ボールベアリング５２０に対応して、第二接触面１４８を設置し、第二レール部品２００の第二垂直部２３０の第一端２３２において、第二ボールベアリング５２０に対応して、第二ホールド部２３６を設置する。
【００３０】
第二ホールド部２３６は、第二レール部品２００の第二垂直部２３０の第一端２３２から延伸する。しかも、第二ホールド部２３６は、第一サポートセグメント２３７を備え、第二サポートセグメント２３８は、第一サポートセグメント２３７から延伸して湾折する。第二サポートセグメント２３８は、ホールド面２３９を備え、これにより第二ボールベアリング５２０を支える。
【００３１】
本考案の一実施例によるスライドレールユニットを示す分解図である図３に示すように、上記と同様、本実施例の第二スライド補助部品４００の第一台体４１０は、複数のボールベアリング５００に相対し、複数の保持部品４３０を設置することが望ましく、これにより複数のボールベアリング５００を予定の位置に保持する。
【００３２】
さらに、本実施例の第二スライド補助部品４００の第一台体４１０は、少なくとも１個の緩衝部４１２を設置することが望ましく、これによりスライドレールユニットの操作時に発生する振動或いは衝突を緩衝することができる。本実施例の緩衝部４１２は封鎖状のリング型である。
【００３３】
本考案の一実施例によるスライドレールユニットにおいて、ボールベアリングと保持部品と、の間の組合せを示す模式図である図４に示すように、第一台体４１０の複数の保持部品４３０は、第一保持部品４３２、第二保持部品４３４を備え、ボールベアリング５００は、第一保持部品４３２と第二保持部品４３４と、の間に設置する。
【００３４】
第一保持部品４３２と第二保持部品４３４の相互に対応する側辺間の水平距離は、第一幅Ｗ１である。しかも、第一保持部品４３２と第二保持部品４３４と、の間は、ボールベアリング５００の側辺に相対し、それぞれベアリング槽４３６を設置する。第一保持部品４３２のベアリング槽４３６と第二保持部品４３４のベアリング槽４３６と、の間の水平距離は第二幅Ｗ２である。第一保持部品４３２のベアリング槽４３６と第二保持部品４３４側辺と、の水平距離は第三幅Ｗ３である。ボールベアリング５００の直径は、第一幅Ｗ１より大きく、しかも第二幅Ｗ２或いは第三幅Ｗ３より小さい。よって、本実施例では、ボールベアリング５００に相対する保持部品４３２或いは４３４の内のいずれかに、ベアリング槽４３６を設置するだけで、第一保持部品４３２と第二保持部品４３４と、の間には挟持部を形成し、これによりボールベアリング５００を保持し、脱落を回避することができる。
【００３５】
本考案の一実施例によるスライドレールユニットにおいて、第二レール部品の第一種形式を示す模式図である図５に示すように、第二レール部品２００ａの第一ホールド部２１６ａは、第一サポートセグメント２１７ａを備え、第二サポートセグメント２１８ａは、第一サポートセグメント２１７ａから延伸して湾折する。第一サポートセグメント２１７ａは、ホールド面２１９ａを備え、これにより第一ボールベアリング５１を支える。第二レール部品２００ａの第二ホールド部２３６ａは、第一サポートセグメント２３７ａを備え、第二サポートセグメント２３８ａは、第一サポートセグメント２３７ａから延伸して湾折する。第一サポートセグメント２３７ａは、ホールド面２３９ａを備え、これにより第二ボールベアリング５２０を支える。
【００３６】
本考案の一実施例によるスライドレールユニットにおいて、第二レール部品の第二種形式を示す模式図である図６に示すように、第二レール部品２００ｂの第一ホールド部２１６ｂは、第一サポートセグメント２１７ｂを備え、第二サポートセグメント２１８ｂは、第一サポートセグメント２１７ｂから延伸して湾折する。第一サポートセグメント２１７ｂは、ホールド面２１９ｂを備え、これにより第一ボールベアリング５１０を支える。第二レール部品２００ｂの第二ホールド部２３６ｂは、第一サポートセグメント２３７ｂを備え、第二サポートセグメント２３８ｂは、第一サポートセグメント２３７ｂから延伸して湾折する。第一サポートセグメント２３７ｂは、ホールド面２３９ｂを備え、これにより第二ボールベアリング５２０を支える。
【００３７】
本考案の一実施例によるスライドレールユニットにおいて、第二レール部品の第三種形式を示す模式図である図７に示すように、第二レール部品２００ｃの第一ホールド部２１６ｃは、第一サポートセグメント２１７ｃを備え、第二サポートセグメント２１８ｃは、第一サポートセグメント２１７ｃから延伸して湾折する。第一サポートセグメント２１７ｃは、ホールド面２１９ｃを備え、これにより第一ボールベアリング５１０を支える。第二レール部品２００ｃの第二ホールド部２３６ｃは、第一サポートセグメント２３７ｃを備え、第二サポートセグメント２３８ｃは、第一サポートセグメント２３７ｃから延伸して湾折する。第一サポートセグメント２３７ｃは、ホールド面２３９ｃを備え、これにより第二ボールベアリング５２０を支える。
【００３８】
本考案の一実施例によるスライドレールユニットにおいて、第二レール部品の第四種形式を示す模式図である図８に示すように、第二レール部品２００ｄの第一ホールド部２１６ｄは、第一サポートセグメント２１７ｄを備え、第一サポートセグメント２１７ｄは、平面のホールド面２１９ｄを備え、これにより第一ボールベアリング５１０を支える。第二レール部品２００ｄの第二ホールド部２３６ｄは、第一サポートセグメント２３７ｄを備え、第一サポートセグメント２３７ｄは、ホールド面２３９ｄを備え、これにより第二ボールベアリング５２０を支える。
【００３９】
本考案の一実施例によるスライドレールユニットにおいて、第二レール部品の第五種形式を示す模式図である図９に示すように、本考案の一実施例によるスライドレールユニットは、弧状を呈するホールド面２１９ｅを備え、これにより第一ボールベアリング５１０を支える。第二レール部品２００ｅの第二ホールド部２３６ｅは、第一サポートセグメント２３７ｅを備え、第一サポートセグメント２３７ｅは、ホールド面２３９ｅを備え、これにより第二ボールベアリング５２０を支える。
【００４０】
本考案の一実施例によるスライドレールユニットにおいて、第一レール部品の第二種形式を示す模式図である図１０図に示すように、第一レール部品１００の第二垂直部１４０は、第一湾折部１５０を備える。第一湾折部１５０は第一レール部品１００の第二垂直部１４０の第二端１４４から延伸する。これにより、第一レール部品１００の第二垂直部１４０とブラケット１０の第一垂直部１６と、の間隔距離は変化し、大きさが相対する第一ローラーベアリング３１０をその中に設置することができる。第一レール部品１００の第二垂直部１４０は、第二湾折部１５２を備える。第二湾折部１５２は、第一レール部品１００の第二垂直部１４０の第一端１４２から延伸し、第一レール部品１００の強度を強化することができる。
【００４１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４２】
本考案は実用新案の要件である新規性を備え、従来の同類製品に比べ十分な進歩を有し、実用性が高く、社会のニーズに合致しており、産業上の利用価値は非常に大きい。
【符号の説明】
【００４３】
１０：ブラケット、１２：第一水平部、１４：第一端、１６：第一垂直部、１８：第一端、２０：第二端、２２：第二水平部、２４：第一端、２６：第二端、２８：第二垂直部、１００：第一レール部品、１１０：第一水平部、１１２：第一端、１２０：第一垂直部、１２２：第一端、１２４：第二端、１２６：第一ベアリング溝道、１２８：第一接触面、１３０：第二水平部、１３２：第一端、１３４：第二端、１４０：第二垂直部、１４２：第一端、１４４：第二端、１４６：第二ベアリング溝道、１４８：第二接触面、１５０：第一湾折部、１５２：第二湾折部、２００：第二レール部品、２１０：第一垂直部、２１２：第一端、２１４：第二端、２１６：第一ホールド部、２１６ａ：第一ホールド部、２１６ｂ：第一ホールド部、２１６ｃ：第一ホールド部、２１６ｄ：第一ホールド部、２１６ｅ：第一ホールド部、２１７：第一サポートセグメント、２１７ａ：第一サポートセグメント、２１７ｂ：第一サポートセグメント、２１７ｃ：第一サポートセグメント、２１７ｄ：第一サポートセグメント、２１７ｅ：第一サポートセグメント、２１８：第二サポートセグメント、２１８ａ：第二サポートセグメント、２１８ｂ：第二サポートセグメント、２１８ｃ：第二サポートセグメント、２１９：ホールド面、２１９ａ：ホールド面、２１９ｂ：ホールド面、２１９ｃ：ホールド面、２１９ｄ：ホールド面、２１９ｅ：ホールド面、２２０：第一水平部、２２２：第一端、２２４：第二端、２３０：第二垂直部、２３２：第一端、２３４：第二端、２３６：第二ホールド部、２３６ａ：第二ホールド部、２３６ｂ：第二ホールド部、２３６ｃ：第二ホールド部、２３６ｄ：第二ホールド部、２３６ｅ：第二ホールド部、２３７：第一サポートセグメント、２３７ａ：第一サポートセグメント、２３７ｂ：第一サポートセグメント、２３７ｃ：第一サポートセグメント、２３７ｄ：第一サポートセグメント、２３７ｅ：第一サポートセグメント、２３８：第二サポートセグメント、２３８ａ：第二サポートセグメント、２３８ｂ：第二サポートセグメント、２３８ｃ：第二サポートセグメント、２３９：ホールド面、２３９ａ：ホールド面、２３９ｂ：ホールド面、２３９ｃ：ホールド面、２３９ｄ：ホールド面、２３９ｅ：ホールド面、３００：第一スライド補助部品、３０２：第一台体、３１０：第一ローラーベアリング、３２０：第二ローラーベアリング、３３０：第三ローラーベアリング、３４０：第四ローラーベアリング、４００：第二スライド補助部品、４１０：第一台体、４２０：第一ローラーベアリング、４３０：保持部品、４３２：第一保持部品、４３４：第二保持部品、４３６：ベアリング槽、５００：ボールベアリング、５１０：第一ボールベアリング、５２０：第二ボールベアリング、Ｗ１：第一幅、Ｗ２：第二幅、Ｗ３：第三幅。
【図１】
0003150893.tif 000003
【図２】
0003150893.tif 000004
【図３】
0003150893.tif 000005
【図４】
0003150893.tif 000006
【図５】
0003150893.tif 000007
【図６】
0003150893.tif 000008
【図７】
0003150893.tif 000009
【図８】
0003150893.tif 000010
【図９】
0003150893.tif 000011
【図１０】
0003150893.tif 000012